(57)【要約】      （修正有）【課題】海水浴等で使用するパラソル設置及び使用方法の改善。【解決手段】テーブル１は、中心部分にパラソル２８に傾斜を持たせると共にパラソルの向きを変えるために複数の凹み４を設け、外周にパラソルの柄２９を固定するロープ叉はバンド３０を取付ける取り付け孔７を複数設けると共に、パラソルを垂直にたてる時に使用する中心孔及び柄押えバネを設けたスライド部材８が前記複数の凹みに合致させ取付けている。テーブルの脚部１１ａ１１ｂに砂地等に挿し易く抜けにくい形状を有した固定棒を固定棒挿入孔に挿入し、砂地等へ挿し込み固定する。パラソルの柄の端部に取り付ける位置決め棒１７は、柄の端部に挿入する挿入ボックス１８、柄先端押えバネ及び伸縮材固定部２０を設け形成し、伸縮材２７は、前記伸縮材固定部とテーブル裏側に設けた伸縮材取付け凹部２２に各々に係合されるように構成されている。【選択図】図１４
2008161623.tif 000002
【特許請求の範囲】
【請求項１】
海水浴等で使用するパラソルを固定しつつ、持ち物を置けるテーブル一体式のパラソル固定用具であって、テーブル裏側には一段、或いはそれ以上に折りたためる脚を複数設け、概脚の先端には、テーブル自体を砂地等へしっかりと固定させる為の機構を有し、テーブル中心にはパラソルの日差しの角度、方向に適時対応し、太陽光に対し最大限遮光を可能にすべくパラソルに傾斜を持たせると共にパラソルの向きを簡単に変える為に用いる複数の凹みを形成、概複数の凹みに合致し着脱を可能としたパラソルを略垂直に立てる中心孔を有するスライド部材及びパラソルの根元（柄の端部）の位置決めをする位置決め棒がテーブルと伸縮材で係合し形成し構成たことを特徴としたテーブル一体式パラソル固定用具。
【請求項２】
テーブルの外縁部をテーブル上の小物が落ちにくいよう他の部分より高くし、更にその内側の部分にペットボトルや携帯電話、及びメガネ等を収納する為の凹みを設け構成したことを特徴とした請求項１記載のテーブル一体式パラソル固定用具。
【請求項３】
テーブル一体式パルソル固定用具を砂地等へしっかりと固定する為に、取っ手を設け地面に挿し易く抜けにくい形状を有した固定棒を、テーブル裏に設けた脚の先端に形成した固定棒挿入孔から、前記砂地等へ挿し込み固定し、又未使用時は脚部に設けた固定棒取付け部に装着するように構成したことを特徴とした請求項１及び２記載のテーブル一体式パラソル固定用具。
【請求項４】
テーブル一体式パルソル固定用具を、砂地等へしっかりと固定する為の固定用具であって、全体の片側一部が平面状で、その反対側先端がやや尖ったスコップの形状をしており、全長の途中から「への字状」に曲げ、スコップ形状の反対側の一部は平面状にしてある。テーブル裏から伸びた脚の先端に「への字」の頂点を中心に、一定の範囲内でフリーに動くようにジョイントし構成したことを特徴とした請求項１及び２記載のテーブル一体式パラソル固定用具。
【請求項５】
テーブル一体式パルソル固定用具を砂地等へしっかりと固定する為に、テーブル裏に設けた脚の先端に、前記砂地等に固定する固定棒を設け構成したことを特徴とした請求項１及び２記載のテーブル一体の式パラソル固定用具。
【請求項６】
パラソル固定用具に挿入したパラソルの柄を固定出来る様、ロープ叉はフック付きのバンド等を、パラソル固定用具の一部に取り付け構成した事を特徴とした請求項１〜５記載のパラソル固定用具
【発明の詳細な説明】
【技術分野】
【０００１】本発明は、パラソル固定用具に関するものである。
【背景技術】
【０００２】アウトドアーレジャーにおける海水浴等で、パラソルは日除けのため使用されるが、パラソルを固定する為には砂地等をスコップで深く掘り、パラソルの柄を埋め込む方法で利用されている。又、それ以外の場所等でもパラソルは利用されているが、おおむね前記同様の方法で利用されている。
【発明が解決しようとする課題】
【０００３】しかしパラソルの柄を埋め込むには労力が必要であり、いい加減な埋め込みをすると、僅かな風が吹くだけで、傾いたり倒れたりして危険である。又パラソルを太陽光を遮る向きに立てても、太陽の移動に伴いパラソルの中に太陽光が射し込み、該太陽光からの紫外線を浴びる結果となる。このような場合パラソルの向きを変えなければならず、その為には、パラソルの柄を埋め変えて位置を動かす必要があり更に労力を要することとなる。又手持ちの小物を置くにもシート等を敷かなければならない。
【課題を解決する手段】
【０００４】本発明は、パラソルの柄を砂地等に直に埋め込まず固定用具を使用し、前記課題を解決するものである。
【０００５】パラソル固定用具はテーブル形状で、テーブル裏側には一段、或いはそれ以上に折りたためる脚を複数設け、概脚の先端には、テーブル自体を砂地等へしっかりと固定させる為の機構を有し、テーブル中心にはパラソルの日差しの角度、方向に適時対応し、太陽光に対し最大限遮光を可能にすべくパラソルに傾斜を持たせると共にパラソルの向きを簡単に変える為に用いる複数の凹みを設け、概複数の凹みに合致し着脱を可能としたパラソルを略垂直に立てる中心孔を有するスライド部材及びパラソルの根元（柄の端部）の位置決めをする位置決め棒がテーブルと伸縮材で係合し形成し、テーブルの一部には、パラソルが風などで飛ばされないようパラソルの柄を固定する為のロープ、又はフック付きのバンド等を設けている。
【０００６】前記脚部先端の砂地等への固定方法は、取っ手を設け地面に挿し易く抜けにくい形状を有した固定棒を、テーブル裏に設けた脚の先端に形成した固定棒挿入孔から、前記砂地等へ挿し込み固定し、又未使用時は脚部に設けた固定棒取付け部に装着するように形成したもの、全体の一部が平面状で、その反対側を先端が尖ったスコップ形状とし、全体の中間位置で「への字状」に曲げ「への字状」の頂点を中心として脚部にジョイントし一定範囲内で動作する様にしたスコップ形状を垂直に砂地等に挿し込みその後反対側の平面部を地面に並行なるように押し込み固定するように形成したもの、テーブル裏に設けた脚の先端に、前記砂地等に固定する固定棒を形成したもの等、いずれの方法でも砂地等への固定を可能にしている。
【０００７】前記テーブルの外縁部をテーブル上の小物が落ちにくいよう他の部分より高くし、更にその内側の部分にペットボトルや携帯電話、及びメガネ等を収納する為の凹みを設け形成している。
【０００８】前記パラソルの棹を垂直に挿入するスライド部材及び位置決め棒は、前記パラソルの柄の太さに対応出来るように孔内部をバネ形状に形成している。
【０００９】又、前記位置決め棒は、テーブル裏側の一部分と概位置決め棒が伸縮材で係合され、未使用時位置決め棒は折り畳まれた脚の一本に取り付け収納されるように形成している。
【発明の実施と形態】
【００１０】本発明の構成を、図１〜図１４に依って説明する。テーブル１は、外周に外縁部２を設け概外縁部２とテーブル１円周部はリブ３複数で補強され中心部分に太陽光に対し最大遮光を可能にすべくパラソル２８に傾斜を持たせると共にパラソル２８の向きを簡単に変えるために用いる複数の凹み４を設け、前記外縁部２の内側は、ペットボトル入れ５及び携帯電話、メガネ等を収納する凹み６各々を複数設けている。又前記複数の凹み４外周にパラソル２８の柄２９を固定するロープ叉はバンド３０を取付ける取り付け孔７を複数設けると共に、概パラソル２８を垂直にたてる時に使用する中心孔９及び柄押えバネ１０を設けたスライド部材８が前記複数の凹み４に合致させ取付け構成されている。
【００１１】テーブル１裏には脚部先端に固定棒挿入孔１３、及び固定棒取付け部１４を形成し、ストッパー２６及び脚部回転凸部２４を設けた固定棒挿入形状の脚部１１ａ１１ｂ１１ｃを、取付けベース２３ａ２３ｂ２３に設けた脚部取付け孔２５に取付け、取っ手を設け砂地等に挿し易く抜けにくい形状を有した固定棒１２を、前記固定棒挿入孔１３から、砂地等へ挿し込み固定する。又未使用時は固定棒取付け部１４に装着するように形成している。又パラソル２８の柄２９の端部に取り付ける位置決め棒１７は、柄２９の端部に挿入する挿入ボックス１８、柄先端押えバネ１９及び伸縮材固定部２０を設け形成し、伸縮材２７は、前記伸縮材固定部２０とテーブル１裏側に設けた伸縮材取付け凹部２２に各々に係合され、概位置決め棒１７は未使用時固定棒挿入形状の脚部１１ｂに設けた脚部位置決め棒取付け部２１に挿入ボックス１８の切り欠き部分を嵌め込み収納出来、又固定棒挿入形状の脚部１１ａ１１ｂ１１ｃも未使用時はテーブル１に平行になるように折りたためるように構成されている。
【００１２】なお、脚部構造は、前記した以外に、スコップ形状で途中から「への字状」に曲げ、スコップ形状の反対側の一部を平面状に形成し一定範囲内でフリーに動くようにジョイントした脚部１５ａ１５ｂ１５ｃ、又、テーブル裏に設けた脚部の先端に、固定棒を形成した脚部１６ａ１６ｂ１６ｃも各々構成を可能にしている。
【実施例】
【００１３】本発明の実施例を図１〜図１４に依って説明する。折りたたまれた固定部挿入形状の脚部１１ａ１１ｂ１１ｃに設けた、ストッパー２６がテーブル１裏側に密着するように立て、位置決め棒１７を脚部位置決め棒取付け部２１より外し砂地３１にテーブル１を略水平になるように置き、前記固定部挿入形状の脚部１１ａ１１ｂ１１ｃに設けた固定棒挿入孔１３に、取っ手を設け砂地等に挿し易く抜けにくい形状を有した固定棒１２を砂地等へ挿し込み固定する。パラソル２８の柄２９をスライド部材８の中心孔９に挿入し柄２９の先端に位置決め棒１７の挿入ボックス１８を挿入しパラソル２８が垂直に立つように柄２９を持って位置決め棒１２先端より砂地３１に挿し込む。【００１４】パラソル２８を垂直にたてる場合は、前記した状態でパラソル２８の柄２９をバンド又はロープ３０で固定しパラソル２８を開く。又パラソル２８を傾斜させる場合は、前記パラソル２８をバンド叉はロープ３０で固定する前にスライド部材８パラソル２８の柄２９の上部に移動させ、太陽の遮光に適したテーブル１に設けた凹み４を選びバンド叉はロープ３０で固定する。
【発明の効果】
【００１５】本発明は、以上説明したような形態で実施され、以下に記載されるような効果を得られる。砂地等にパラソルを安全かつ容易にセットできる。太陽光の移動に合わせ、常にパラソルの位置を簡単に移動対応出来る。前記操作により直射日光が避けられる。テーブル方式な為砂のかぶりが少なく、又飲料用のボトル、携帯電話、メガネ等の収納が簡便に出来る。
【図面の簡単な説明】
【００１６】
【図１】本発明のパラソル固定用具を示す平面図。
【図２】本発明のパラソル固定用具を示す正面図。
【図３】本発明のパラソル固定用具の脚を折り畳んだ状態を示す正面図。
【図４】本発明のパラソル固定用具の脚を折り畳んだ状態を示す背面図。
【図５】本発明のパラソル固定用具スライド部材を示す断面図。
【図６】本発明のパラソル固定用具スライド部材を示す背面図。
【図７】本発明のパラソル固定用具位置決め棒を示す断面図。
【図８】本発明のパラソル固定用具位置決め棒を示す背面図。
【図９】本発明のパラソル固定用具スコップ形状脚部を砂地に挿入した状態を示す正面図
【図１０】本発明のパラソル固定用具スコップ形状脚部を砂地に固定した状態を示す正面図。
【図１１】本発明のパラソル固定用具脚部に固定棒を形成し砂地に固定した状態を示す正面図。
【図１２】本発明のパラソル固定用具にパラソルの柄を垂直にセットした状態を示す実施例図。
【図１４】本発明のパラソル固定用具にパラソルを垂直にセットした状態を示す実施例図
【図１４】本発明のパラソル固定用具にパラソルを傾斜させてセットした状態を示す実施例図。
【符号の説明】
【００１７】１：テーブル２：外縁部３：リブ４：凹み５：ボトル入れ６：携帯電話、メガネ等収納凹み７：バンド叉はロープ取り付け孔８：スライド部材９  中心孔１０：柄押えバネ１１ａ１１ｂ１１ｃ：固定棒挿入形状の脚部１２：固定棒１３：固定棒挿入孔１４：固定棒取付け部１５ａ１５ｂ１５ｃ：スコップ形状をジョイントした脚部１６ａ１６ｂ１６ｃ：固定棒を形成した形状の脚部１７：位置決め棒１８：挿入ボックス１９：柄先端押えバネ２０：伸縮材固定部２１：脚部位置決め取付け棒２２：伸縮材取付け凹部２３ａ２３ｂ２３ｃ：脚部取り付けベース２４：脚部回転凸部２５：脚部取付け孔２６：ストッパー２７：伸縮材２８：パラソル２９：柄２０：バンド叉はロープ３１：砂地
【図１】
2008161623.tif 000003
【図２】
2008161623.tif 000004
【図３】
2008161623.tif 000005
【図４】
2008161623.tif 000006
【図５】
2008161623.tif 000007
【図６】
2008161623.tif 000008
【図７】
2008161623.tif 000009
【図８】
2008161623.tif 000010
【図９】
2008161623.tif 000011
【図１１】
2008161623.tif 000012
【図１２】
2008161623.tif 000013
【図１３】
2008161623.tif 000014
【図１４】
2008161623.tif 000015
【手続補正書】
【提出日】平成19年3月12日(2007.3.12)
【手続補正１】
【補正対象書類名】明細書
【補正対象項目名】００１６
【補正方法】変更
【補正の内容】
【００１６】
【図１】本発明のパラソル固定用具を示す平面図。
【図２】本発明のパラソル固定用具を示す正面図。
【図３】本発明のパラソル固定用具の脚を折り畳んだ状態を示す正面図。
【図４】本発明のパラソル固定用具の脚を折り畳んだ状態を示す背面図。
【図５】本発明のパラソル固定用具スライド部材を示す断面図。
【図６】本発明のパラソル固定用具スライド部材を示す背面図。
【図７】本発明のパラソル固定用具位置決め棒を示す断面図。
【図８】本発明のパラソル固定用具位置決め棒を示す背面図。
【図９】本発明のパラソル固定用具スコップ形状脚部を砂地に挿入した状態を示す正面図
【図１０】本発明のパラソル固定用具スコップ形状脚部を砂地に固定した状態を示す正面図。
【図１１】本発明のパラソル固定用具脚部に固定棒を形成し砂地に固定した状態を示す正面図。
【図１２】本発明のパラソル固定用具にパラソルの柄を垂直にセットした状態を示す実施例図。
【図１３】本発明のパラソル固定用具にパラソルを垂直にセットした状態を示す実施例図
【図１４】本発明のパラソル固定用具にパラソルを傾斜させてセットした状態を示す実施例図。
【手続補正２】
【補正対象書類名】図面
【補正対象項目名】全図
【補正方法】変更
【補正の内容】
【図１】
2008161623.tif 000016
【図２】
2008161623.tif 000017
【図３】
2008161623.tif 000018
【図４】
2008161623.tif 000019
【図５】
2008161623.tif 000020
【図６】
2008161623.tif 000021
【図７】
2008161623.tif 000022
【図８】
2008161623.tif 000023
【図９】
2008161623.tif 000024
【図１０】
2008161623.tif 000025
【図１１】
2008161623.tif 000026
【図１２】
2008161623.tif 000027
【図１３】
2008161623.tif 000028
【図１４】
2008161623.tif 000029